【手続補正書】
【提出日】平成22年12月22日(2010.12.22)
【手続補正１】
【補正対象書類名】特許請求の範囲
【補正対象項目名】全文
【補正方法】変更
【補正の内容】
【特許請求の範囲】
【請求項１】
ビットストリームからのマルチビュー・ビデオ・コンテンツに対応する少なくとも１つのビューのピクチャを復号するデコーダを備えた装置であって、該デコーダは、前記少なくとも１つのビューの特定の１つに対応するピクチャの何れかが失われているかどうかを既存のシンタックスエレメントを用いて判定し、該既存のシンタックスエレメントは、ピクチャ損失判定以外の別の機能を実行するものであり、前記少なくとも１つのビューの前記特定の１つは、ビデオ符号化標準およびビデオ符号化勧告の少なくとも１つに準拠している、前記装置。
【請求項２】
前記既存のシンタックスエレメントは、マルチビュー・ビデオ符号化シンタックスエレメントである、請求項１に記載の装置。
【請求項３】
前記マルチビュー・ビデオ符号化シンタックスエレメントは、国際標準化機構／国際電気標準会議ＭＰＥＧ−４  Ｐａｒｔ１０  ＡＶＣ標準／国際電気通信連合電気通信標準化部門Ｈ．２６４勧告の拡張に対応する、請求項２に記載の装置。
【請求項４】
ビデオ符号化標準およびビデオ符号化勧告の前記少なくとも１つは、国際標準化機構／国際電気標準会議ＭＰＥＧ−４  Ｐａｒｔ１０  ＡＶＣ標準／国際電気通信連合電気通信標準化部門Ｈ．２６４勧告に対応する、請求項１に記載の装置。
【請求項５】
前記既存のシンタックスエレメントが高レベルに存在する、請求項１に記載の装置。
【請求項６】
前記高レベルは、スライス・ヘッダ・レベル、シーケンス・パラメータ・セット・レベル、ピクチャ・パラメータ・セット・レベル、ビュー・パラメータ・セット・レベル、ネットワーク抽象化レイヤ・ユニット・ヘッダ・レベル、および付加拡張情報メッセージに対応するレベルの少なくとも１つに対応する、請求項１に記載の装置。
【請求項７】
前記既存のシンタックスエレメントの前記別の機能は、前記少なくとも１つのビューを含んでいる前記ビットストリーム中の符号化ビューの数を示すことである、請求項１に記載の装置。
【請求項８】
前記ピクチャの前記何れかが、国際標準化機構／国際電気標準会議ＭＰＥＧ−４  Ｐａｒｔ１０  ＡＶＣ標準／国際電気通信連合電気通信標準化部門Ｈ．２６４勧告に適合した特定のピクチャを少なくとも１つ含み、前記デコーダは、前記少なくとも１つの特定のピクチャが失われているかどうかをタイム・ファースト符号化情報に基づいて判定する、請求項１に記載の装置。
【請求項９】
前記ピクチャがビデオ・シーケンスの少なくとも一部分を表し、前記ピクチャの少なくともいくつかが前記ビデオ・シーケンス内の異なる時刻に対応し、前記ピクチャの前記何れかが、国際標準化機構／国際電気標準会議ＭＰＥＧ−４  Ｐａｒｔ１０  ＡＶＣ標準／国際電気通信連合電気通信標準化部門Ｈ．２６４勧告に適合した特定のピクチャを少なくとも１つ含み、前記デコーダは、前記少なくとも１つの特定のピクチャが失われているかどうかを、前記異なる時刻の特定の１つの時刻に受信された、前記少なくとも１つのビューのうちの前記特定の１つに対応するピクチャの数と、前記異なる時刻の別の特定の１つの時刻に受信された、前記少なくとも１つのビューのうちの前記特定の１つに対応するピクチャのうちの最初のピクチャとに基づいて判定する、請求項１に記載の装置。
【請求項１０】
前記異なる時刻の前記別の特定の１つの時刻に受信されたピクチャのうちの前記最初のピクチャは、国際標準化機構／国際電気標準会議ＭＰＥＧ−４  Ｐａｒｔ１０  ＡＶＣ標準／国際電気通信連合電気通信標準化部門Ｈ．２６４勧告に適合していない、請求項９に記載の装置。
【請求項１１】
前記デコーダは、前記少なくとも１つのビューのうちの前記特定の１つに対応するピクチャの少なくとも１つに対応するサフィックス・ネットワーク抽象化レイヤ・ユニットのみを受信したときに、前記ピクチャの前記少なくとも１つが失われていることを示し、前記ピクチャの前記少なくとも１つが、国際標準化機構／国際電気標準会議ＭＰＥＧ−４  Ｐａｒｔ１０  ＡＶＣ標準／国際電気通信連合電気通信標準化部門Ｈ．２６４勧告に適合している、請求項１に記載の装置。
【請求項１２】
前記デコーダは、前記少なくとも１つのビューのうちの前記特定の１つに対応するピクチャの少なくとも１つに対応するプレフィックス・ネットワーク抽象化レイヤ・ユニットのみを受信したときに、前記ピクチャの前記少なくとも１つが失われていることを示し、前記ピクチャの前記少なくとも１つが、国際標準化機構／国際電気標準会議ＭＰＥＧ−４  Ｐａｒｔ１０  ＡＶＣ標準／国際電気通信連合電気通信標準化部門Ｈ．２６４勧告に適合している、請求項１に記載の装置。
【請求項１３】
ビットストリームからのマルチビュー・ビデオ・コンテンツに対応する少なくとも１つのビューのピクチャを復号するステップを含む方法であって、該復号ステップは、前記少なくとも１つのビューの特定の１つに対応するピクチャの何れかが失われているどうかを既存のシンタックスエレメントを用いて判定するステップを含み、該既存のシンタックスエレメントは、ピクチャ損失判定以外の別の機能を実行するものである、前記方法。
【請求項１４】
前記既存のシンタックスエレメントは、マルチビュー・ビデオ符号化シンタックスエレメントである、請求項１３に記載の方法。
【請求項１５】
前記マルチビュー・ビデオ符号化シンタックスエレメントは、国際標準化機構／国際電気標準会議ＭＰＥＧ−４  Ｐａｒｔ１０  ＡＶＣ標準／国際電気通信連合電気通信標準化部門Ｈ．２６４勧告の拡張に対応する、請求項１４に記載の方法。
【請求項１６】
ビデオ符号化標準およびビデオ符号化勧告の前記少なくとも１つは、国際標準化機構／国際電気標準会議ＭＰＥＧ−４  Ｐａｒｔ１０  ＡＶＣ標準／国際電気通信連合電気通信標準化部門Ｈ．２６４勧告に対応する、請求項１３に記載の方法。
【請求項１７】
前記既存のシンタックスエレメントが高レベルに存在する、請求項１３に記載の方法。
【請求項１８】
前記高レベルは、スライス・ヘッダ・レベル、シーケンス・パラメータ・セット・レベル、ピクチャ・パラメータ・セット・レベル、ビュー・パラメータ・セット・レベル、ネットワーク抽象化レイヤ・ユニット・ヘッダ・レベル、および付加拡張情報メッセージに対応するレベルの少なくとも１つに対応する、請求項１３に記載の方法。
【請求項１９】
前記既存のシンタックスエレメントの前記別の機能は、前記少なくとも１つのビューを含んでいる前記ビットストリーム中の符号化ビューの数を示すことである、請求項１３に記載の方法。
【請求項２０】
前記ピクチャの前記何れかが、国際標準化機構／国際電気標準会議ＭＰＥＧ−４  Ｐａｒｔ１０  ＡＶＣ標準／国際電気通信連合電気通信標準化部門Ｈ．２６４勧告に適合した特定のピクチャを少なくとも１つ含み、前記判定ステップは、前記少なくとも１つの特定のピクチャが失われているかどうかをタイム・ファースト符号化情報に基づいて判定するステップを含む、請求項１３に記載の方法。
【請求項２１】
前記ピクチャがビデオ・シーケンスの少なくとも一部分を表し、前記ピクチャの少なくともいくつかが前記ビデオ・シーケンス内の異なる時刻に対応し、前記ピクチャの前記何れかが、国際標準化機構／国際電気標準会議ＭＰＥＧ−４  Ｐａｒｔ１０  ＡＶＣ標準／国際電気通信連合電気通信標準化部門Ｈ．２６４勧告に適合した特定のピクチャを少なくとも１つ含み、前記判定ステップは、前記少なくとも１つの特定のピクチャが失われているかどうかを、前記異なる時刻の特定の１つの時刻に受信された、前記少なくとも１つのビューのうちの前記特定の１つに対応するピクチャの数と、前記異なる時刻の別の特定の１つの時刻に受信された、前記少なくとも１つのビューのうちの前記特定の１つに対応するピクチャのうちの最初のピクチャとに基づいて判定するステップを含む、請求項１３に記載の方法。
【請求項２２】
前記異なる時刻の前記別の特定の１つの時刻に受信されたピクチャのうちの前記最初のピクチャは、国際標準化機構／国際電気標準会議ＭＰＥＧ−４  Ｐａｒｔ１０  ＡＶＣ標準／国際電気通信連合電気通信標準化部門Ｈ．２６４勧告に適合していない、請求項２１に記載の方法。
【請求項２３】
前記復号ステップは、前記少なくとも１つのビューのうちの前記特定の１つに対応するピクチャの少なくとも１つに対応するサフィックス・ネットワーク抽象化レイヤ・ユニットのみを受信したときに、前記ピクチャの前記少なくとも１つが失われていることを示すステップを含み、前記ピクチャの前記少なくとも１つが、国際標準化機構／国際電気標準会議ＭＰＥＧ−４  Ｐａｒｔ１０  ＡＶＣ標準／国際電気通信連合電気通信標準化部門Ｈ．２６４勧告に適合している、請求項１３に記載の方法。
【請求項２４】
前記復号ステップは、前記少なくとも１つのビューのうちの前記特定の１つに対応するピクチャの少なくとも１つに対応するプレフィックス・ネットワーク抽象化レイヤ・ユニットのみを受信したときに、前記ピクチャの前記少なくとも１つが失われていることを示すステップを含み、前記ピクチャの前記少なくとも１つが、国際標準化機構／国際電気標準会議ＭＰＥＧ−４  Ｐａｒｔ１０  ＡＶＣ標準／国際電気通信連合電気通信標準化部門Ｈ．２６４勧告に適合している、請求項１３に記載の方法。
【請求項２５】
ビットストリームからのマルチビュー・ビデオ・コンテンツに対応する少なくとも１つのビューのピクチャを復号するデコーダを備え、前記ピクチャはビデオ・シーケンスの少なくとも一部分を表し、前記ピクチャの少なくともいくつかが前記ビデオ・シーケンス内の異なる時刻に対応する装置であって、前記デコーダは、前記異なる時刻の特定の１つに対応するピクチャが失われているかどうかを既存のシンタックスエレメントを用いて判定し、前記既存のシンタックスエレメントは、ピクチャ損失判定以外の別の機能を実行するものである、前記装置。
【請求項２６】
前記既存のシンタックスエレメントは、マルチビュー・ビデオ符号化シンタックスエレメントである、請求項２５に記載の装置。
【請求項２７】
前記マルチビュー・ビデオ符号化シンタックスエレメントは、国際標準化機構／国際電気標準会議ＭＰＥＧ−４  Ｐａｒｔ１０  ＡＶＣ標準／国際電気通信連合電気通信標準化部門Ｈ．２６４勧告の拡張に対応する、請求項２６に記載の装置。
【請求項２８】
前記既存のシンタックスエレメントは高レベルに存在する、請求項２５に記載の装置。
【請求項２９】
前記高レベルは、スライス・ヘッダ・レベル、シーケンス・パラメータ・セット・レベル、ピクチャ・パラメータ・セット・レベル、ビュー・パラメータ・セット・レベル、ネットワーク抽象化レイヤ・ユニット・ヘッダ・レベル、および付加拡張情報メッセージに対応するレベルの少なくとも１つに対応する、請求項２５に記載の装置。
【請求項３０】
前記既存のシンタックスエレメントの前記別の機能は時間レベルを示すことである、請求項２５に記載の装置。
【請求項３１】
前記異なる時刻の前記特定の１つの時刻に対応するピクチャがアンカー・ピクチャおよび非アンカー・ピクチャを含み、前記デコーダは、前記異なる時刻の前記特定の１つの時刻に対応するアンカー・ピクチャが失われているかどうかを前記時間レベルを用いて確認し、用いられる前記時間レベルが第１の時間レベルである、請求項３０に記載の装置。
【請求項３２】
前記デコーダは、前記ビットストリーム内の最高の時間レベルから非ゼロの時間レベルへの時間レベルの降下を利用して、前記異なる時刻の前記特定の１つに対応する、ゼロに等しい前記第１の時間レベルを有するアンカー・ピクチャの損失を検出し、前記降下が少なくとも２以上の整数値である、請求項３１に記載の装置。
【請求項３３】
前記デコーダは、欠落している時間レベルに属し、かつ、前記異なる時刻の前記特定の１つに対応する非アンカー・ピクチャが失われているかどうかを、前記欠落している時間レベルが存在しないことに基づいて判定する、請求項３１に記載の装置。
【請求項３４】
ビットストリームからのマルチビュー・ビデオ・コンテンツに対応する少なくとも１つのビューのピクチャを復号するステップを含み、前記ピクチャは、ビデオ・シーケンスの少なくとも一部分を表し、前記ピクチャの少なくともいくつかが前記ビデオ・シーケンス内の異なる時刻に対応する方法であって、前記復号ステップは、前記異なる時刻の特定の１つに対応するピクチャが失われているかどうかを既存のシンタックスエレメントを用いて判定するステップを含み、前記既存のシンタックスエレメントは、ピクチャ損失判定以外の別の機能を実行するものである、前記方法。
【請求項３５】
前記既存のシンタックスエレメントは、マルチビュー・ビデオ符号化シンタックスエレメントである、請求項３４に記載の方法。
【請求項３６】
前記マルチビュー・ビデオ符号化シンタックスエレメントは、国際標準化機構／国際電気標準会議ＭＰＥＧ−４  Ｐａｒｔ１０  ＡＶＣ標準／国際電気通信連合電気通信標準化部門Ｈ．２６４勧告の拡張に対応する、請求項３５に記載の方法。
【請求項３７】
前記既存のシンタックスエレメントは高レベルに存在する、請求項３４に記載の方法。
【請求項３８】
前記高レベルは、スライス・ヘッダ・レベル、シーケンス・パラメータ・セット・レベル、ピクチャ・パラメータ・セット・レベル、ビュー・パラメータ・セット・レベル、ネットワーク抽象化レイヤ・ユニット・ヘッダ・レベル、および付加拡張情報メッセージに対応するレベルの少なくとも１つに対応する、請求項３４に記載の方法。
【請求項３９】
前記既存のシンタックスエレメントの前記別の機能は時間レベルを示すことである、請求項３４に記載の方法。
【請求項４０】
前記異なる時刻の前記特定の１つの時刻に対応するピクチャがアンカー・ピクチャおよび非アンカー・ピクチャを含み、前記判定ステップは、前記異なる時刻の前記特定の１つの時刻に対応するアンカー・ピクチャが失われているかどうかを時間レベルを用いて確認するステップを含み、用いられる前記時間レベルが第１の時間レベルである、請求項３９に記載の方法。
【請求項４１】
前記確認ステップは、前記ビットストリーム内の最高の時間レベルから非ゼロの時間レベルへの時間レベルの降下を利用して、前記異なる時刻の前記特定の１つに対応する、ゼロに等しい前記第１の時間レベルを有するアンカー・ピクチャの損失を検出するステップを含み、前記降下が少なくとも２以上の整数値である、請求項４０に記載の方法。
【請求項４２】
前記復号ステップは、欠落している時間レベルに属し、かつ、前記異なる時刻の前記特定の１つに対応する非アンカー・ピクチャが失われているかどうかを、前記欠落している時間レベルが存在しないことに基づいて判定する、請求項３１に記載の方法。